(57)【要約】【課題】冷蔵室内を短時間に低い温度にすることができる冷蔵庫を得る。【解決手段】冷蔵室２と冷凍室３を有し、これら冷蔵室２と冷凍室３は別個の冷却回路で冷却する。冷蔵室２と冷凍室３を連通させる連通通路５を設ける。連通通路５には、冷凍室３内の冷気を冷蔵室２に送るファン７と通常は閉じていてファン７が回転しているとき開となるダンパ８を設ける。冷蔵室２には、その扉が閉じたときファン７を回転させるファンモータ９に回転信号を送る扉スイッチ１０と、冷蔵室２内が所定の温度まで下がったときにファンモータ９に回転停止信号を送る温度センサ１１を設ける。【選択図】  図１
2004301417.tif 000002
【特許請求の範囲】
【請求項１】
冷蔵室と冷凍室を有し、これら前記冷蔵室と前記冷凍室は別個の冷却回路で冷却されるようになっている冷蔵庫において、
前記冷蔵室と前記冷凍室を連通させる連通通路が設けられ、前記連通通路には前記冷凍室内の冷気を前記冷蔵室に送るファンと通常は閉じていて前記ファンが回転しているとき開となるダンパが設けられ、前記冷蔵室にはその扉が閉じたとき前記ファンを回転させるファンモータに回転信号を送る扉スイッチと前記冷蔵室内が所定の温度まで下がったときに前記ファンモータに回転停止信号を送る温度センサが設けられていることを特徴とする冷蔵庫。
【請求項２】
冷蔵室と冷凍室を有し、これら前記冷蔵室と前記冷凍室は別個の冷却回路で冷却されるようになっている冷蔵庫において、
前記冷蔵室と前記冷凍室を連通させる連通通路が設けられ、前記連通通路には前記冷凍室内の冷気を前記冷蔵室に送るファンと通常は閉じていて前記ファンが回転しているとき開となるダンパが設けられ、前記冷蔵室にはその扉が開いたとき前記ファンを回転させるファンモータに回転信号を送る扉スイッチと前記冷蔵室内が所定の温度まで下がったときに前記ファンモータに回転停止信号を送る温度センサが設けられていることを特徴とする冷蔵庫。
【発明の詳細な説明】
【０００１】
【発明の属する技術分野】
本発明は、冷蔵室と冷凍室を有し、これらが別個の冷却回路で冷却されるようになっている冷蔵庫に関するものである。
【０００２】
【従来の技術】
従来の冷蔵庫は、一般に、冷蔵室と冷凍室を有し、これら冷蔵室と冷凍室は別個の冷却回路で冷却されるようになっていた。そして、冷蔵室や冷凍室に物品を収納したり、或いは収納してある物品を取り出す際に扉を開けることにより、冷蔵室や冷凍室内の温度が所定の温度より上昇したとき、扉を閉めると前記冷却回路が作動して冷蔵室や冷凍室内を冷却し、所定温度まで下げるようになっている。
【０００３】
【発明が解決しようとする課題】
しかしながら、このような冷蔵庫では、一般に、冷凍室に比べ冷蔵室の方がその容積が大きく、使用頻度も冷蔵室の方が遙かに多く、しかも、冷蔵室に物品を収納したり、或いは冷蔵室に収納してある物品を取り出す際や、また、冷蔵室内に入れておいたものを探すときとか、何が入っているかを見るとき等に、冷蔵室を長時間開けたままにしておくことがある。このような場合、冷蔵室内の温度が上がり、冷蔵室の扉を閉めたとき、冷却回路が作動して冷蔵室内を冷却しても、冷蔵室内の温度が所定温度までなかなか下がらず、この結果、冷蔵室の冷却回路のモータが長時間回り続けることになり、これが騒音となってうるさく、また消費電気も多くなる問題点があった。
【０００４】
本発明の目的は、扉を開けた後の冷蔵室内を短時間で所定温度に下げることのできる冷蔵庫を提供することにある。
【０００５】
【課題を解決するための手段】
本発明は、上記の目的を達成するためになされたもので、下記の如き構成になっている。
請求項１に記載の発明は、冷蔵室と冷凍室を有し、これら前記冷蔵室と前記冷凍室は別個の冷却回路で冷却されるようになっている冷蔵庫において、前記冷蔵室と前記冷凍室を連通させる連通通路が設けられ、前記連通通路には前記冷凍室内の冷気を前記冷蔵室に送るファンと通常は閉じていて前記ファンが回転しているとき開となるダンパが設けられ、前記冷蔵室にはその扉が閉じたとき前記ファンを回転させるファンモータに回転信号を送る扉スイッチと前記冷蔵室内が所定の温度まで下がったときに前記ファンモータに回転停止信号を送る温度センサが設けられていることを特徴とする。
【０００６】
このような構成の冷蔵庫では、冷蔵室の扉が開けられ、次にその扉が閉じられると、扉スイッチがファンモータに回転信号を送り、ファンが回転して冷凍室内を吸引する。これにより、ダンパが開いて冷凍室内の冷気が冷蔵室内に送り込まれる。このため冷蔵室内は専用の冷却回路で冷却されると共に冷凍室内の冷気でも冷却される。この結果、冷蔵室内は、従来よりも短時間に冷却されることになる。冷蔵室内が所定の温度まで下がったときに温度センサがファンモータに回転停止信号を送る。この回転停止信号を受けてファンモータが止まり、ファンの回転が停止し、ダンパが閉じる。これにより、冷蔵室内を短時間で所定の温度に下げることができ、騒音を出す時間が短くなり、また消費電気が少なくなる。
【０００７】
請求項２に記載の発明は、冷蔵室と冷凍室を有し、これら前記冷蔵室と前記冷凍室は別個の冷却回路で冷却されるようになっている冷蔵庫において、前記冷蔵室と前記冷凍室を連通させる連通通路が設けられ、前記連通通路には前記冷凍室内の冷気を前記冷蔵室に送るファンと通常は閉じていて前記ファンが回転しているとき開となるダンパが設けられ、前記冷蔵室にはその扉が開いたとき前記ファンを回転させるファンモータに回転信号を送る扉スイッチと前記冷蔵室内が所定の温度まで下がったときに前記ファンモータに回転停止信号を送る温度センサが設けられていることを特徴とする。
【０００８】
このような構成の冷蔵庫では、冷蔵室の扉が開けられると、扉スイッチがファンモータに回転信号を送り、ファンが回転して冷凍室内を吸引する。これにより、ダンパが開いて冷凍室内の冷気が冷蔵室内に送り込まれる。このため冷蔵室内は、扉が開けられた時点で冷凍室内の冷気が冷蔵室内に送り込まれるので、扉が開いているにもかかわらず、温度の上昇速度が遅くなり、冷蔵室内の温度が僅かな上昇に押さえられる。この後、冷蔵室の扉が閉じられると、冷蔵室内は前記冷凍室内の冷気とともに専用の冷却回路で冷却されることになり、これにより冷蔵室内は、従来よりも遙かに短い時間に冷却されることになる。冷蔵室内が所定の温度まで下がったときに温度センサがファンモータに回転停止信号を送る。この回転停止信号を受けてファンモータが止まり、ファンの回転が停止し、ダンパが閉じる。これにより、冷蔵室内を短時間で所定の温度に下げることができ、騒音を出す時間が一層短くなり、また消費電気が一層少なくなる。
【０００９】
【発明の実施の形態】
図１は本発明に係る冷蔵庫の実施の形態の第１例と第２例で、扉を開いた状態を示す縦断面図である。
【００１０】
まず、実施の形態の第１例について説明する。本例の冷蔵庫１は、冷蔵室２と冷凍室３を有し、これらの間は仕切り壁４で仕切られている。冷蔵室２と冷凍室３は、図示しない別個の冷却回路で冷却されるようになっている。この仕切り壁４を横切って、冷蔵室２と冷凍室３を連通させる連通通路５が筒部６で区画されて設けられている。連通通路５には、冷凍室３内の冷気を冷蔵室２に送るファン７と通常は閉じていてファン７が回転しているとき開となるダンパ８が設けられている。
【００１１】
冷蔵室２には、ファン７を回転させるファンモータ９に回転信号を送る扉スイッチ１０と冷蔵室２内が所定の温度まで下がったときにファンモータ９に回転停止信号を送る温度センサ１１が設けられており、本例では、前記扉スイッチ１０は、図示しない冷蔵室２の扉が閉じたときファンモータ９に回転信号を送るように電気回路（図示せず）が構成されている。
【００１２】
このような構成の冷蔵庫１では、冷蔵室２の扉が開けられ、次にその扉が閉じられると、扉スイッチ１０がファンモータ９に回転信号を送り、ファン７が回転して冷凍室３内を吸引する。これにより、ダンパ８が開いて冷凍室３内の冷気が冷蔵室２内に送り込まれる。このため冷蔵室２内は専用の冷却回路で冷却されると共に冷凍室３内の冷気でも冷却される。これにより、冷蔵室２内は、従来よりも短時間に冷却されることになる。冷蔵室２内が所定の温度まで下がったときに温度センサ１１がファンモータ９に回転停止信号を送る。この回転停止信号を受けてファンモータ９が止まり、ファン７の回転が停止し、ダンパ８が閉じる。これにより、冷蔵室２内を短時間で所定の温度に下げることができ、騒音を出す時間が短くなり、また消費電気が少なくなる。
【００１３】
次に、実施の形態の第２例について説明する。本例の冷蔵庫１でも、冷蔵室２と冷凍室３を有し、これらの間は仕切り壁４で仕切られている。冷蔵室２と冷凍室３は、図示しない別個の冷却回路で冷却されるようになっている。この仕切り壁４を横切って、冷蔵室２と冷凍室３を連通させる連通通路５が筒部６で区画されて設けられている。連通通路５には、冷凍室３内の冷気を冷蔵室２に送るファン７と通常は閉じていてファン７が回転しているとき開となるダンパ８が設けられている。
【００１４】
冷蔵室２には、ファン７を回転させるファンモータ９に回転信号を送る扉スイッチ１０と冷蔵室２内が所定の温度まで下がったときにファンモータ９に回転停止信号を送る温度センサ１１が設けられており、本例では、前記扉スイッチ１０は、図示しない冷蔵室２の扉が開いたときファンモータ９に回転信号を送るように電気回路（図示せず）が構成されている。
【００１５】
このような構成の冷蔵庫１では、冷蔵室２の扉が開けられると、扉スイッチ１０がファンモータ９に回転信号を送り、ファン７が回転して冷凍室３内を吸引する。これにより、ダンパ８が開いて冷凍室３内の冷気が冷蔵室２内に送り込まれる。このため冷蔵室２内は、扉が開けられた時点で冷凍室３内の冷気が冷蔵室２内に送り込まれるので、扉が開いているにもかかわらず、温度の上昇速度が遅くなり、冷蔵室２内の温度が僅かな上昇に押さえられる。この後、冷蔵室２の扉が閉じられると、冷蔵室２内は前記冷凍室３内の冷気とともに専用の冷却回路で冷却されることになり、これにより冷蔵室２内は、従来よりも遙かに短い時間に冷却されることになる。冷蔵室２内が所定の温度まで下がったときに温度センサ１１がファンモータ９に回転停止信号を送る。この回転停止信号を受けてファンモータ９が止まり、ファン７の回転が停止し、ダンパ８が閉じる。これにより、冷蔵室２内を短時間で所定の温度に下げることができ、騒音を出す時間が一層短くなり、また消費電気が一層少なくなる。
【００１６】
なお、ダンパ８は図示の構造のものに限定されるものではなく、通常は弁を閉じるようにバネで付勢していて、ファン７の回転でバネに抗して弁を開く構造のもの、或いは電磁弁等でもよい。
【００１７】
また、連通通路５は、図示のように仕切り壁４の１箇所だけに設けるものに限定されるものではなく、同様な構造で複数箇所に設けることもできる。この場合、扉スイッチ１０と温度センサ１１は各ファンモータ９の共通の指令手段として使用することができる。
【００１８】
【発明の効果】
以上のように本発明に係る冷蔵庫によれば、扉を開けることにより、上昇した冷蔵室の温度を、専用の冷却回路による冷却に加え、冷凍室の冷気を冷蔵庫内に導くようにしたので、冷蔵室内を短時間で所定の温度に下げることができ、これにより、騒音を出す時間を短くすることができるとともに、消費電気を少なくすることができる。
【図面の簡単な説明】
【図１】本発明に係る冷蔵庫の実施の形態の第１例と第２例で、扉を開いた状態を示す縦断面図である。
【符号の説明】
１  冷蔵庫
２  冷蔵室
３  冷凍室
４  仕切り壁
５  連通通路
６  筒部
７  ファン
８  ダンパ
９  ファンモータ
１０  扉スイッチ
１１  温度センサ
【図１】
2004301417.tif 000003